(57)【要約】【課題】バッグを持つ人の静電気を外部に放電できるようにした、バッグを提供する。【解決手段】バッグ本体２と、バッグ本体２の所定の位置に取り付けられた握手部３ａ、３ａとを備え、握手部３ａ、３ａ、バッグ本体２の側面Ｓ２及びバッグ本体２の底面Ｂ２の間が導電性繊維で繋がれている。【選択図】図１
2006222013.tif 000002
【特許請求の範囲】
【請求項１】
バッグ本体と、前記バッグ本体の所定の位置に取り付けられた握手部とを備え、前記握手部、前記バッグ本体の側面及び前記バッグ本体の底面の間が導電性繊維で繋がれている、バッグ。
【請求項２】
バッグ本体と、前記バッグ本体の所定の位置に取り付けられた握手部と、前記バッグ本体の底部に設けられた底鋲とを備え、前記握手部、前記バッグ本体の側面及び前記底鋲の間が導電性繊維で繋がれている、バッグ。
【請求項３】
脱着可能なショルダ紐を更に備え、前記バッグ本体には、所定の位置に、前記ショルダ紐を取り付ける、導電性材料で製された一対のショルダ取付部が更に設けられており、前記ショルダ紐は、その両端の各々に、導電性材料で製された取付具を有し、前記ショルダ紐には、導電性繊維が、前記導電性材料で製された一対の取付具の間を繋ぐように設けられており、前記導電性材料で製された一対のショルダ取付部の各々は、前記握手部、前記バッグの側面及び前記底鋲の間を繋ぐ導電性繊維に結線されている、請求項２に記載のバッグ。
【請求項４】
前記握手部の表面側に、広い面積を形成するように導電性繊維を配置した、請求項１〜３のいずれかに記載のバッグ。
【請求項５】
前記導電性繊維の表面を毛羽立たせている、請求項１〜４のいずれかに記載のバッグ。
【発明の詳細な説明】
【技術分野】
【０００１】
本発明は、バッグに関し、特に、バッグを持つ人の静電気を外部に放電できるようにした、バッグに関する。
【背景技術】
【０００２】
近時、導電性を有し、帯電する静電気をコロナ放電により除電することができる導電性繊維が開発されている。
【０００３】
このような導電性繊維としては、例えば、アクリル繊維やナイロン繊維に、Ｃｕ５Ｓ５膜を被覆したもの（商品名：「サンダーロン」（日本蚕毛染色株式会社製、株式会社東神製））その他の導電性繊維が多数開発されている（例えば、商品名：「パレル」（東レ株式会社製）、商品名：「ルアナ」（東レ株式会社製）、商品名：「スーパエレキル」（三菱レイヨン株式会社製）、商品名：「クラカーボ」（株式会社クラレ製）、商品名：「ベルトロン」（カネボウ合繊株式会社製）、商品名：「アンゼルス  ＳＴ」（カネボウテキスタイル株式会社製）、商品名：「アンゼルス  ＦＭ」（（カネボウテキスタイル株式会社製）、商品名：「ＳＡ−７」（東レ株式会社製）、商品名：「電気トール」（日本バイリーン株式会社製）等）。
【０００４】
このような導電性繊維は、ミシン糸等として、装飾体や、シールや、被服のファスナー等に使用されている。
【特許文献１】特開平１０−２５５９９５号
【特許文献２】実登録３０４４２００号
【特許文献３】実登録３０７２６６７号  また、静電気帯電防止バッグが、既に、提案されている。
【０００５】
図４は、そのような従来の静電気帯電防止用バッグの一例を概略的に示す斜視図であり、また、図５は、図４中、領域Ｒ１０１を拡大して概略的に示す分解斜視図である。
【０００６】
この静電気帯電防止用バッグ１０１は、バッグ本体１０２のフレーム１１０の内側に、例えば、アルミニウムで製された導電材料１１１を貼り付け、フレーム１１０の外側に、例えば、アルミニウムで製された導電材料１１２を貼り付け、導電材料１１１、フレーム１１０及び導電材料１１２を導電性機能を有するカシメ用鋲１１６で固定し、導電材料１１２、バッグ本体１０２の底部Ｂ１０２を導電性機能を有する底鋲１０５で固定している。
【０００７】
この静電気帯電防止用バッグ１０１は、以上の構成を備える結果、バッグ内に帯電する静電気を、導電材料１１１、カシメ用鋲１１６、導電材料１１２及び底鋲１０５を介して外部へ放電することができるようになっている。
【特許文献４】特開平１０−１１６６９５号
【発明の開示】
【発明が解決しようとする課題】
【０００８】
しかしながら、上記したような従来の静電気帯電防止用バッグ１０１は、バッグ内に帯電する静電気を、導電材料１０４、カシメ用鋲１０６、導電材料１０５及び底鋲１０７を介して外部へ放電することができるようになっているが、静電気に帯電している人の静電気を外部に放電できるようにようにはされていない。
【０００９】
例えば、冬場等、空気が乾燥しているような場合、静電気が人に帯電しており、車の扉や、部屋のドアに手指を近づけたり、何かを持とうとして、その物の近くに手指を近づけたりすると、手指と車の扉との間や、手指とドアの扉との間や、手指と物との間に、静電気の火花が飛び、この時、人は、疼痛を手指に感じ、不快な気持ちになる。
【００１０】
本発明は、以上のような問題を解決するためになされたものであって、帯電した人が、バッグを持つことで、静電気に帯電している人の静電気を外部に放電できるようにようにしたバッグを提供することにある。
【課題を解決するための手段】
【００１１】
請求項１に記載のバッグは、バッグ本体と、バッグ本体の所定の位置に取り付けられた握手部とを備え、握手部、バッグ本体の側面及びバッグ本体の底面の間が導電性繊維で繋がれている。
【００１２】
請求項２に記載のバッグは、バッグ本体と、バッグ本体の所定の位置に取り付けられた握手部と、バッグ本体の底部に設けられた底鋲とを備え、握手部、バッグ本体の側面及び底鋲の間が導電性繊維で繋がれている。
【００１３】
請求項３に記載のバッグは、請求項１又は請求項２に記載のバッグが、脱着可能なショルダ紐を更に備え、バッグ本体には、所定の位置に、ショルダ紐を取り付ける、導電性材料で製された一対のショルダ取付部が更に設けられており、ショルダ紐は、その両端の各々に、導電性材料で製された取付具を有し、ショルダ紐には、導電性繊維が、導電性材料で製された一対の取付具の間を繋ぐように設けられており、導電性材料で製された一対のショルダ取付部の各々は、握手部、バッグ本体の側面及び底鋲の間を繋ぐ導電性繊維に結線されている。
【００１４】
請求項４に記載のバッグは、請求項１〜３のいずれかに記載のバッグの、握手部の表面側に、広い面積を形成するように導電性繊維を配置した。
【００１５】
請求項５に記載のバッグは、請求項１〜４のいずれかに記載のバッグに用いる、導電性繊維の表面を毛羽立たせている。
【発明の効果】
【００１６】
請求項１に記載のバッグでは、握手部、バッグ本体の側面及びバッグ本体の底面の間が導電性繊維で繋がれているので、バッグが、例えば、床や地面上に置かれていれば、バッグに帯電する静電気は、本体の底面から床や地面上に放電される。また、バッグに帯電する静電気は、導電性繊維を介して、空中に、放電される。
【００１７】
また、人がバッグを持つ際に必ず触れる握手部にも導電性繊維を配し、静電気を帯電している人が、バッグを持つ際に、必ず、導電性繊維に触れるようにしているので、人に帯電している静電気は、導電性繊維を介して床や地面上や空中に放電される。
【００１８】
この結果、このバッグを持った人は、自己に帯電している静電気が外部に放電されることになり、手指と物との間に、静電気の火花が飛ぶことが著しく減少するので、疼痛を手指に感じ、不快な気持ちになることが著しく減少する。
【００１９】
請求項２に記載のバッグは、握手部、バッグ本体の側面及び底鋲の間が導電性繊維で繋がれているので、バッグが、例えば、床や地面上に置かれていれば、バッグに帯電する静電気は、本体の底面から床や地面上に放電される。また、バッグに帯電する静電気は、導電性繊維を介して、空中に、放電される。
【００２０】
また、人がバッグを持つ際に必ず触れる握手部にも導電性繊維を配し、静電気を帯電している人が、バッグを持つ際に、必ず、導電性繊維に触れるようにしているので、人に帯電している静電気は、導電性繊維を介して床や地面上や空中に放電される。
【００２１】
この結果、このバッグを持った人は、自己に帯電している静電気が外部に放電されるので、手指と物との間に、静電気の火花が飛ぶことが著しく減少するので、疼痛を手指に感じ、不快な気持ちになることが著しく減少する。
【００２２】
請求項３に記載のバッグは、ショルダ紐の両端の各々に、導電性材料で製された取付具を有し、且つ、これら一対の取付具の間を繋ぐように導電性繊維を設けており、導電性材料で製された一対のショルダ取付部の各々は、握手部、バッグ本体の側面及び底鋲の間を繋ぐ導電性繊維に結線されているので、ショルダ紐に設けられている取付具をバッグ本体に設けられているショルダ取付部に取り付けると、バッグが、例えば、床や地面上に置かれていれば、バッグに帯電する静電気は、本体の底面から床や地面上に放電される。また、バッグに帯電する静電気は、導電性繊維を介して、空中に、放電される。
【００２３】
また、人がバッグを担ぐためにショルダ紐を肩にかけると、必ず、導電性繊維に触れることになるので、人に帯電している静電気は、導電性繊維を介して床や地面上や空中に放電される。
【００２４】
この結果、このバッグをショルダ紐を利用して肩に担いだ人は、自己に帯電している静電気が外部に放電されるので、手指と物との間に、静電気の火花が飛ぶことが著しく減少するので、疼痛を手指に感じ、不快な気持ちになることが著しく減少する。
【００２５】
請求項４に記載のバッグでは、握手部の表面側に、広い面積を形成するように導電性繊維を配置しているので、静電気に帯電した人が、握手部に指手を接近させても、手指の一点から握手部の一点に静電気の火花が飛ぶという現象が著しく減少するので、仮に、このバッグを持つ人が、静電気に帯電していたとしても、手指と握手部との間に、静電気の火花が飛ぶことが著しく減少する。
【００２６】
この結果、このバッグには、バッグを持つ際に、疼痛を手指に感じ、不快な気持ちになることが著しく減少させることができる、という効果がある。
【００２７】
請求項５に記載のバッグでは、導電性繊維の表面を毛羽立たせているので、バッグから空中へ、静電気が放電され易くなっている。
【００２８】
この結果、このバッグには、バッグを持つ際に、疼痛を手指に感じ、不快な気持ちになることが著しく減少させることができる、という効果がある。
【発明を実施するための最良の形態】
【００２９】
以下、本発明に係るバッグの一例を、図面を参照しながら、更に、詳しく説明する。
（実施例１）
図１は、本発明に係るバッグの一例を概略的に示す斜視図である。
【００３０】
このバッグ１は、バッグ本体２と、一本の紐（ここでは、「紐」という用語を用いているが、「紐」という意味合いの中には、通常の紐の他、繊維、織布、不織布、ミシン糸、テープ状物、帯状物であっても良い。以下、単に「紐」という。）３とを備える。
【００３１】
一本の紐３は、端部を有しないように閉じられた形状になっており、バッグ本体２の側面Ｓ２及び底面Ｂ２を巻き回りするように、バッグ本体２の外表面に取り付けられており、且つ、バッグ本体２の上面側において、一対の握手部（グリップ部）３ａ、３ａが形成されるようにされている。
【００３２】
図１中、４で示す部材は、導電性繊維を示している。
【００３３】
導電性繊維４は、端部を有しないように閉じられた形状になっている、一本の紐３の長さ方向に沿って設けられている。
【００３４】
この例では、導電性繊維４は、縫製又は裁断等により、端部を有しないように閉じられた形状になっている、一本の紐３の長さ方向に沿って縫製されている。
【００３５】
図１中では、理解を容易とするために、紐３に縫製されている導電性繊維４の状態を破線で示している。
【００３６】
紐３は、導電性繊維４又は通常の繊維より、バッグ本体２に縫い付けられていても、又は、両面テープ等により、バッグ本体２に貼り付けられていても良い。
【００３７】
以上の構成により、このバッグ１では、導電性繊維４が、握手部（グリップ部）３ａ、バッグ本体２の側面Ｓ２及びバッグ本体２の底面Ｂ２に電気的・物理的に繋がれた状態になる。
【００３８】
即ち、このバッグ１では、握手部（グリップ部）３ａ、３ａ、バッグ本体２の側面Ｓ２、Ｓ２及びバッグ本体２の底面Ｂ２の間が導電性繊維４で繋がれているので、バッグ１が、例えば、床や地面上に置かれていれば、導電性繊維４を伝って、バッグ１に帯電する静電気は、バッグ本体２の底面Ｂ２から床や地面上に放電される。また、バッグ１に帯電する静電気は、導電性繊維４を介して、空中に、放電される。
【００３９】
また、このバッグ１では、人がバッグ１を持つ際に必ず触れる握手部（グリップ部）３ａ、３ａにも導電性繊維４を配し、静電気を帯電している人が、バッグ１を持つ際に、必ず、導電性繊維４に触れるようにしているので、人に帯電している静電気は、導電性繊維４を介して床や地面上や空中に放電される。
【００４０】
この結果、このバッグ１を持った人は、自己に帯電している静電気が外部に放電されることになり、手指と物との間に、静電気の火花が飛ぶことが著しく減少するので、疼痛を手指に感じ、不快な気持ちになることが著しく減少する。
【００４１】
また、このバッグ１では、図１に示すように、一対の握手部（グリップ部）３ａ、３ａに、他の部分に比べ、多くの量の導電性繊維４を、一対の握手部（グリップ部）３ａ、３ａの各々の表面に、その面積が広くなるように設けている。この例では、特に以下の場合に限定されることは無いが、一対の握手部３ａ、３ａの各々の表面に、多くの量の導電性繊維４が、その面積が広くなるように設けるために、導電性繊維４をジグザグ模様を形成するように設けている。
【００４２】
このバッグ１では、握手部（グリップ部）３ａ、３ａの表面側に、広い面積を形成するように導電性繊維４を配置しているので、静電気に帯電した人が、握手部（グリップ部）３ａ、３ａに指手を接近させても、手指の一点から握手部（グリップ部）３ａ、３ａの一点に静電気の火花が飛ぶという現象が著しく減少するので、仮に、このバッグを持つ人が、静電気に帯電していたとしても、手指と握手部（グリップ部）３ａ、３ａ１との間に、静電気の火花が飛ぶことが著しく減少する。
【００４３】
この結果、このバッグ１には、バッグ１を持つ際に、疼痛を手指に感じ、不快な気持ちになることが著しく減少させることができる、という効果がある。
【００４４】
尚、図１では、一対の握手部（グリップ部）３ａ、３ａの各々の表面に、多くの量の導電性繊維４が、その面積が広くなるように設けるために、導電性繊維４をジグザグ模様を形成するように設けているが、これに限定されることはなく、多くの量の導電性繊維４が、その面積が広くなるように設けることができれば、一対の握手部（グリップ部）３ａ、３ａに、例えば、文字、図形、記号及びこれらの結合したもの（例えば、ブランド（商標等））を導電性繊維４を用いて表せば良い。
【００４５】
そして、一対の握手部（グリップ部）３ａ、３ａに、例えば、文字、図形、記号及びこれらの結合したもの（例えば、ブランド（商標等））を導電性繊維４を用いて表せば、このバッグ１の美観が向上したり、出所表示機能により、バッグ１に顧客吸引力を付与したりすることができる。
【００４６】
また、導電性繊維４は、そのまま使用するのでは無く、ヤスリや、カッター等を用い、その繊維の表面粗し処理を行い、導電性繊維の表面を毛羽立たせてからバッグ１に使用するようにすれば、バッグ１から空中へ、静電気が放電され易くすることができる。
【００４７】
このように、導電性繊維の表面を毛羽立たせてからバッグ１に使用すれば、バッグ１には、更に、バッグ１を持つ際に、疼痛を手指に感じ、不快な気持ちになることが著しく減少させることができる。
（実施例２）
図２は、本発明に係るバッグの他の一例を概略的に示す斜視図である。
【００４８】
このバッグ１１は、バッグ１とは、以下の構成を除けば、バッグ１と同様の構成を備えるので、バッグ１１を構成する構成部材中、バッグ１の構成部材に相当する構成部材については、バッグ１の構成部材に付した参照符号と同一の参照符号を付して、その説明を省略する。
【００４９】
このバッグ１１は、一対の握手部（グリップ部）１３、１３をバッグ本体２への取り付けた構造を有しており、また、バッグ本体２の底面Ｂ２に底鋲５、５、５、５を備える。
【００５０】
このバッグ１１では、図２に示すように、握手部（グリップ部）１３、バッグ本体２の側面Ｓ２及び底鋲５の間が導電性繊維４で繋がれている。
【００５１】
以上の構成により、このバッグ１１では、バッグ１１が、例えば、床や地面上に置かれていれば、バッグ１１に帯電する静電気は、本体の底面の底鋲５から床や地面上に放電される。また、バッグ１１に帯電する静電気は、導電性繊維４を介して、空中に、放電される。
【００５２】
また、人がバッグ１１を持つ際に必ず触れる握手部（グリップ部）１３にも導電性繊維４を配し、静電気を帯電している人が、バッグ１１を持つ際に、必ず、導電性繊維に触れるようにしているので、人に帯電している静電気は、導電性繊維４を介して床や地面上や空中に放電される。
【００５３】
この結果、このバッグ１１を持った人は、自己に帯電している静電気が外部に放電されるので、手指と物との間に、静電気の火花が飛ぶことが著しく減少するので、疼痛を手指に感じ、不快な気持ちになることが著しく減少する。
【００５４】
この結果、このバッグ１１を持った人は、自己に帯電している静電気が外部に放電されることになり、手指と物との間に、静電気の火花が飛ぶことが著しく減少するので、疼痛を手指に感じ、不快な気持ちになることが著しく減少する。
【００５５】
また、このバッグ１では、図１に示すように、一対の握手部（グリップ部）３ａ、３ａに、他の部分に比べ、多くの量の導電性繊維４を、一対の握手部（グリップ部）３ａ、３ａの各々の表面に、その面積が広くなるように設けている。この例では、特に以下の場合に限定されることは無いが、一対の握手部３ａ、３ａの各々の表面に、多くの量の導電性繊維４が、その面積が広くなるように設けるために、導電性繊維４を、文字、図形、記号及びこれらの結合したもの（例えば、ブランド（商標等））を形成するように設けている。
【００５６】
このバッグ１では、握手部（グリップ部）１３、１３の表面側に、広い面積を形成するように導電性繊維４を配置しているので、静電気に帯電した人が、握手部（グリップ部）１３、１３に指手を接近させても、手指の一点から握手部（グリップ部）１３、１３の一点に静電気の火花が飛ぶという現象が著しく減少するので、仮に、このバッグを持つ人が、静電気に帯電していたとしても、手指と握手部（グリップ部）１３、１３との間に、静電気の火花が飛ぶことが著しく減少する。
【００５７】
この結果、このバッグ１１には、バッグ１１を持つ際に、疼痛を手指に感じ、不快な気持ちになることが著しく減少させることができる、という効果がある。
【００５８】
尚、図２では、一対の握手部（グリップ部）１３、１３の各々の表面に、多くの量の導電性繊維４が、その面積が広くなるように設けるために、導電性繊維４を文字、図形、記号及びこれらの結合したもの（例えば、ブランド（商標等））を形成するように設けている。
【００５９】
このように、一対の握手部（グリップ部）１３、１３に、例えば、文字、図形、記号及びこれらの結合したもの（例えば、ブランド（商標等））を導電性繊維４を用いて表せば、このバッグ１の美観が向上したり、出所表示機能により、バッグ１１に顧客吸引力を付与したりすることができる。
【００６０】
尚、多くの量の導電性繊維４が、一対の握手部（グリップ部）１３、１３に、その面積が広くなるように設けることができれば、一対の握手部（グリップ部）１３、１３に、例えば、意味の無い図形を導電性繊維４を用いて表すようにしても良い。
【００６１】
また、導電性繊維４は、そのまま使用するのでは無く、ヤスリや、カッター等を用い、その繊維の表面粗し処理を行い、導電性繊維の表面を毛羽立たせてからバッグ１１に使用するようにすれば、バッグ１１から空中へ、静電気が放電され易くすることができる。
【００６２】
このように、導電性繊維の表面を毛羽立たせてからバッグ１１に使用すれば、バッグ１１には、更に、バッグ１１を持つ際に、疼痛を手指に感じ、不快な気持ちになることが著しく減少させることができる。
（実施例３）
図３は、本発明に係るバッグの他の一例を概略的に示す斜視図である。
【００６３】
このバッグ２１は、バッグ１１とは、バッグ１１と同様の構成を備えるので、バッグ２１を構成する構成部材中、バッグ１１の構成部材に相当する構成部材については、バッグ１１の構成部材に付した参照符号と同一の参照符号を付して、その説明を省略する。
【００６４】
このバッグ２１は、一対の握手部（グリップ部）１３、１３をバッグ本体２への取り付けた構造を有しており、また、バッグ本体２の底面Ｂ２に底鋲５・・・を備える。
【００６５】
このバッグ２１では、バッグ１１と同様、握手部（グリップ部）１３、バッグ本体２の側面Ｓ２及び底鋲５の間が導電性繊維４で繋がれている。
【００６６】
また、このバッグ２１は、脱着可能なショルダ紐２１を備える。
【００６７】
バッグ本体２には、所定の位置に、ショルダ紐２１を取り付ける、導電性材料で製された一対のショルダ取付部２３、２３が設けられている。
【００６８】
ショルダ取付部２３、２３は、導電性材料で製されている限り、アルミニウム、銅、真鍮、銀、金その他の金属で製されていても良く、導電性樹脂で製されていても良い。
【００６９】
ショルダ紐２１は、その両端の各々に、導電性材料で製された取付具２２、２２を有する。
【００７０】
取付部２２、２２は、導電性材料で製されている限り、アルミニウム、銅、真鍮、銀、金その他の金属で製されていても良く、導電性樹脂で製されていても良い。
【００７１】
そして、ショルダ紐２２には、導電性繊維４が、導電性材料で製された一対の取付具２２、２２の間を電気的・物理的に繋ぐように設けられている。
【００７２】
また、導電性材料で製された一対のショルダ取付部２３、２３の各々は、握手部１３、バッグ本体２の側面Ｓ２及び底鋲５の間を繋ぐ導電性繊維４に電気的・物理的に結線されている。
【００７３】
以上の構成により、このバッグ２１では、ショルダ紐２１に設けられている取付具２２、２２をバッグ本体２に設けられているショルダ取付部２３、２３に取り付けると、バッグ２１が、例えば、床や地面上に置かれていれば、バッグ２１に帯電する静電気は、バッグ本体２の底面Ｂ２の底鋲５から床や地面上に放電される。また、バッグ２１に帯電する静電気は、導電性繊維４を介して、空中に、放電される。
【００７４】
また、人がバッグ２１を担ぐためにショルダ紐２１を肩にかけると、必ず、導電性繊維４に触れることになるので、人に帯電している静電気は、導電性繊維４を介して床や地面上や空中に放電される。
【００７５】
この結果、このバッグ２１をショルダ紐２１を利用して肩に担いだ人は、自己に帯電している静電気が外部に放電されるので、手指と物との間に、静電気の火花が飛ぶことが著しく減少するので、疼痛を手指に感じ、不快な気持ちになることが著しく減少する。
【００７６】
また、ショルダ紐２１に使用する導電性繊維４は、そのまま使用するのでは無く、ヤスリや、カッター等を用い、その繊維の表面粗し処理を行い、導電性繊維の表面を毛羽立たせてからバッグ２１に使用するようにすれば、バッグ２１から空中へ、静電気が放電され易くすることができる。
【００７７】
このように、導電性繊維の表面を毛羽立たせてからバッグ２１に使用すれば、バッグ２１には、更に、バッグ２１を持つ際に、疼痛を手指に感じ、不快な気持ちになることが著しく減少させることができる。
【００７８】
尚、導電性繊維は、握手部の表面に配置されており、且つ、バッグ本体の下面（又は、底鋲に電気的・物理的に接続されておれば、バッグ本体の外表面側、内表面側、バッグ本体の袋部が二重になっているような場合は、内側に配置されていても良い。
【００７９】
又、以上の発明を実施するための最良の形態において説明したバッグ１、１１、２１は、単なる例示であって、本発明は、バッグ１、１１、２１に限定されることはない。
【００８０】
バッグ１、１１、２１と形状、構造、デザインが異なっていても、本願の特許請求の範囲に含まれるバッグは、いずれも、本願発明に含まれる。
【産業上の利用可能性】
【００８１】
本発明に係るバッグは、バッグを持つ人の静電気を外部に放電できるので、産業上の利用可能性が高い。
【図面の簡単な説明】
【００８２】
【図１】本発明に係るバッグの一例を概略的に示す斜視図である。
【図２】本発明に係るバッグの他の一例を概略的に示す斜視図である。
【図３】本発明に係るバッグの他の一例を概略的に示す斜視図である。
【図４】従来の静電気帯電防止用バッグの一例を概略的に示す斜視図である。
【図５】図４中、領域Ｒ１０１を拡大して概略的に示す分解斜視図である。
【符号の説明】
【００８３】
１  バッグ
２  バッグ本体
３  紐
３ａ、１３  握手部（グリップ部）
４  導電性繊維
５  底鋲
２１  ショルダ紐
２２  導電性材料で製された取付具
２３  導電性材料で製されたショルダ取付部
Ｓ２  バッグ本体の側面
Ｂ２  バッグ本体の底面
【図１】
2006222013.tif 000003
【図２】
2006222013.tif 000004
【図３】
2006222013.tif 000005
【図４】
2006222013.tif 000006
【図５】
2006222013.tif 000007